(57)【要約】【課題】利便性が良好なファイルを提供する。【解決手段】表紙体２と、この表紙体２に取り付けられたポケット体３とを具備する。表紙体２は、表表紙部５と背表紙部６と裏表紙部７とを有する。表表紙部５と裏表紙部７とは、対向するように、背表紙部６を中心にしてヒンジ部１１を介して互いに回動可能である。ポケット体３は、表表紙部５から裏表紙部７に亘って配置され被収容物４を収容可能な収容部１５を有する。また、平面視でこの収容部１５より外側に被保持部２２を設けられている。さらに、表表紙部５に、被保持部２２を移動可能に保持する保持部材２１を設ける。そして、ポケット体３は、被収容物４を収容した状態で表紙体２とともに屈曲可能である。【選択図】図１
2018176607.tif 000002
【特許請求の範囲】
【請求項１】
表紙体と、この表紙体に取り付けられたポケット体とを具備するファイルであって、
前記表紙体は、第１の表紙部と、第２の表紙部とを有し、これら第１の表紙部と第２の表紙部とは対向するように互いに回動可能であり、
前記ポケット体は、前記第１の表紙部から前記第２の表紙部に亘って配置され被収容物を収容可能な収容部と、この収容部に対して被収容物を出し入れするための開口部と、前記収容部より平面視で外側に位置する被保持部とを有し、
前記表紙体は、前記第１の表紙部および前記第２の表紙部のうちの少なくともいずれか一方の表紙部に設けられ前記被保持部を移動可能に保持する保持部材を有する
ことを特徴とするファイル。
【請求項２】
前記保持部材は、前記第１の表紙部および前記第２の表紙部のいずれか一方の表紙部に設けられている
ことを特徴とする請求項１記載のファイル。
【請求項３】
前記ポケット体は、他方の表紙部に固定される固定部を有する
ことを特徴とする請求項２記載のファイル。
【請求項４】
前記保持部材は、前記第１の表紙部と前記第２の表紙部とに設けられている
ことを特徴とする請求項１記載のファイル。
【請求項５】
前記被保持部は、挿通孔を有し、
前記保持部材は、前記挿通孔に挿通された挿通部を有し、
前記挿通孔の一方向の長さは、前記挿通部の一方向の長さよりも長い
ことを特徴とする請求項１ないし４いずれか一記載のファイル。
【請求項６】
前記表紙体は、前記第１の表紙部と前記第２の表紙部との間に、ヒンジ部を介して連設された背表紙部を有する
ことを特徴とする請求項１ないし５いずれか一記載のファイル。
【発明の詳細な説明】
【技術分野】
【０００１】
本発明は、書類等の被収容物を収容するためのポケット体が表紙体に取り付けられたファイルに関する。
【背景技術】
【０００２】
従来、この種のファイルとしては、例えば、特許文献１や特許文献２に記載されているように、合成樹脂製の薄肉状のシートにより形成されたポケットが合成樹脂製の表紙体に対して熱溶着や超音波溶着により接合された構成が知られている。
【０００３】
このようなファイルのポケットは、四角形のうちの一の側端部が表紙体に接合されずに開口部を構成し、他の側端が接合された袋状に構成される。
【先行技術文献】
【特許文献】
【０００４】
【特許文献１】特開平５−１７７９７０号公報
【特許文献２】特開２００４−２１６５９５号公報
【発明の概要】
【発明が解決しようとする課題】
【０００５】
特許文献１および特許文献２に記載の発明は、一の袋体の左右方向略中央が上下方向の略全長に亘って表紙体に溶着されることにより、その溶着箇所を介して隣接する２つのポケット部が形成されている。
【０００６】
また、一のポケット部の幅（溶着箇所とこれと対向する位置にある側端との距離）は、想定される被収容物の幅よりやや大きくなるように形成されており、さらに表紙体を折り曲げた状態、すなわちファイルを閉じた状態の表紙体の幅は一のポケット部の幅よりやや大きくなるように形成されている。
【０００７】
ここで、ファイルの使用目的の１つとしては、表紙体によって外力から被収容物を保護することがある。この保護性を考慮すると、特許文献１および特許文献２の構成において、表紙体の幅は一のポケット部の幅や被収容物の幅よりも大きいことが好ましいが、このような構成であると、このようなファイルは、閉じた状態でも被収容物よりも大きな面積を有することになる。
【０００８】
そして、例えば、利用者がファイルを鞄等に収納して持ち歩く場合等には、その鞄は、ファイルを収容し得る大きさである必要があり、つまり、このようなファイルはその大きさに起因して利便性の高いものではなかった。
【０００９】
また、当然ながら、特許文献１および特許文献２の構成において、ポケット部に被収容物を収容したファイルを開口部が下向きとなるように持ってしまうと、ポケット部の開口部から被収容物が落ちてしまうため、利用者はファイルを持つ場合のファイルの向きに関して注意を払う必要があった。
【００１０】
したがって、大きさや使用状態の観点からも、利便性が良好なファイルが求められていた。
【００１１】
本発明はこのような点に鑑みなされたもので、利便性が良好なファイルを提供することを目的とする。
【課題を解決するための手段】
【００１２】
本発明は、表紙体と、この表紙体に取り付けられたポケット体とを具備するファイルであって、前記表紙体は、第１の表紙部と、第２の表紙部とを有し、これら第１の表紙部と第２の表紙部とは対向するように互いに回動可能であり、前記ポケット体は、前記第１の表紙部から前記第２の表紙部に亘って配置され被収容物を収容可能な収容部と、この収容部に対して被収容物を出し入れするための開口部と、前記収容部より平面視で外側に位置する被保持部とを有し、前記表紙体は、前記第１の表紙部および前記第２の表紙部のうちの少なくともいずれか一方の表紙部に設けられ前記被保持部を移動可能に保持する保持部材を有するものである。
【００１３】
保持部材は、第１の表紙部および第２の表紙部のいずれか一方の表紙部に設けられている。
【００１４】
ポケット体は、他方の表紙部に固定される固定部を有する。
【００１５】
保持部材は、第１の表紙部と第２の表紙部とに設けられている。
【００１６】
被保持部は、挿通孔を有し、保持部材は、前記挿通孔に挿通された挿通部を有し、前記挿通孔の一方向の長さが前記挿通部の一方向の長さよりも長ければ、前記挿通孔の前記一方向の直行方向である他方向の長さは、前記挿通部の他方向の長さと略同じでもよい。
【００１７】
表紙体は、第１の表紙部と第２の表紙部との間に、ヒンジ部を介して連設された背表紙部を有する。
【００１８】
表紙体は、第１の表紙部と第２の表紙部との間に位置する背表紙部を有し、背表紙部は、ヒンジ部を有し、前記第１の表紙部と前記第２の表紙部とは前記背表紙部を中心に前記ヒンジ部を介して互いに回動可能である。
【００１９】
第１の表紙部および第２の表紙部は、表紙体の幅方向において、前記第１の表紙部の一方側の端部および前記第２の表紙部の他方側の端部を基点にして、前記第１の表紙部の他方側の端部と前記第２の表紙部の一方側の端部とが接離するように互いに回動可能である。
【発明の効果】
【００２０】
本発明によれば、第１の表紙部から第２の表紙部に亘ってポケット体の収容部が配置されているため、被収容物がポケット体に収容された状態にて、第１の表紙部と第２の表紙部とが対向するように表紙体を屈曲でき、利便性を向上できる。
【００２１】
すなわち、第１の表紙部と第２の表紙部とが対向するように表紙体を屈曲することで、ポケット体が屈曲して第１の表紙部と第２の表紙部との間に収められるため、被収容物を小さくすることができ、被収納物の面積よりも小さい面積を有するファイルを提供することができる。
【００２２】
さらに、被収容物がポケット体の屈曲に合わせて屈曲した状態でポケット体に収容されるため、その状態において両者の屈曲した箇所またはその近傍において互いに接する状態が維持されることから、両者の間の摩擦力が強くなり、被収容物が開口部から離脱しづらくなり、確実に被収容物をファイルに収めることができる。
【図面の簡単な説明】
【００２３】
【図１】本発明の第１の実施の形態に係るファイルの使用状態を示す参考正面図である。
【図２】同上ファイルの表紙体を開いた状態の正面図である。
【図３】同上ファイルの表紙体を開いた状態の背面図である。
【図４】同上ファイルの表紙体を開いた状態の平面図である。
【図５】同上ファイルの表紙体を開いた状態の底面図である。
【図６】同上ファイルの表紙体を開いた状態の右側面図である。
【図７】同上ファイルの表紙体を開いた状態の左側面図である。
【図８】同上ファイルの表紙体を開いた状態の斜視図である。
【図９】同上ファイルの表紙体を閉じた状態の正面図である。
【図１０】同上ファイルの表紙体を閉じた状態の背面図である。
【図１１】同上ファイルの表紙体を閉じた状態の右側面図である。
【図１２】同上ファイルの表紙体を閉じた状態の左側面図である。
【図１３】同上ファイルの表紙体を閉じた状態の平面図である。
【図１４】同上ファイルの表紙体を閉じた状態の底面図である。
【図１５】同上ファイルの表紙体を閉じた状態の斜視図である。
【図１６】図２におけるＡ−Ａ切断端面図である。
【図１７】図１６におけるＢ−Ｂ部分拡大図である。
【図１８】図２におけるＣ−Ｃ部分拡大図である。
【図１９】図１８に示す状態から表紙体に対してポケット体が移動した状態を示す部分拡大図である。
【図２０】本発明の第２の実施の形態に係るファイルの構成を示す平面図である。
【図２１】参考例としてのファイルを閉じた状態おける各ポケット体の下端部を示す模式図である。
【発明を実施するための形態】
【００２４】
以下、本発明の第１の実施の形態の構成について図面を参照しながら詳細に説明する。なお、以下の説明では、図１における上下方向を「ファイルの上下方向」とし、同様に図１における左右方向を「ファイルの左右方向」とし、左右方向の長さを「幅」とする。
【００２５】
図１ないし図１５において、１はファイルであり、このファイル１は、表紙体２の一方面である内側面に、ポケット体３が熱溶着や超音波溶着等の方法によって溶着されて取り付けられている。そして、ポケット体３に、例えば書類等の被収容物４を収容可能である。なお、図１は、ファイル１において、二点鎖線で示す被収容物４をポケット体３に収容している動作途中の状態を示している。
【００２６】
表紙体２は、第１の表紙部としての表表紙部５と、背表紙部６と、第２の表紙部としての裏表紙部７とが左右方向に順次配置されている。なお、これら表表紙部５、背表紙部６および裏表紙部７はいずれも合成樹脂や紙等にて形成されており、例えば、表表紙部５、背表紙部６および裏表紙部７のいずれも同じ材料で形成された構成や、表表紙部５、背表紙部６および裏表紙部７のいずれも異なる材料で形成された構成や、表表紙部５および裏表紙部７と、背表紙部６とが異なる材料で形成された構成等のように、それぞれの材料は適宜選択できる。
【００２７】
表表紙部５および裏表紙部７は、略矩形状であり、表表紙部５の左右方向の一方側の端部（右端部）、および、裏表紙部７の左右方向の他方側の端部（左端部）の上下方向の全長に亘って背表紙部６が接合されている。
【００２８】
背表紙部６は、左右方向に所定幅で離間し上下方向に沿って配置された２つのヒンジ部１１と、これらヒンジ部１１の左右方向の外側に設けられた接続部１２とを有している。
【００２９】
そして、接続部１２が表表紙部５および裏表紙部７に溶着して接続されることにより、表表紙部５および裏表紙部７は、背表紙部６を中心にヒンジ部１１を介して、表表紙部５の左右方向の一方側の端部（左端部）と裏表紙部７の左右方向の他方側の端部（右端部）とが接離するように互いに回動可能である。すなわち、表紙体２は、表表紙部５および裏表紙部７の少なくとも一方を回動させることにより、左右方向に開閉でき、図１ないし図８に示すように、表表紙部５と背表紙部６と裏表紙部７とが略同一平面上に配置された状態（開いた状態）と、図９ないし図１５に示すように、表表紙部５の左端部と裏表紙部７の右端部とを接近させ表表紙部５と裏表紙部７とを互いに対向させて、これら表表紙部５および裏表紙部７を背表紙部６に対し屈曲させた状態（閉じた状態）とにできる。なお、開いた状態とは、表表紙部５と背表紙部６と裏表紙部７とが略同一平面上に配置された状態に限定されず、閉じた状態に対して表表紙部５の左端部と裏表紙部７の右端部とが離間した状態であればよい。
【００３０】
また、裏表紙部７には、表紙体２を閉じた状態を維持するための維持部材である紐状のゴム１３が環状に設けられている。
【００３１】
さらに、表表紙部５の下端部および裏表紙部７の上下方向の両端部には、ゴム１３が係合可能な凹部１４が設けられている。
【００３２】
そして、表紙体２を閉じた状態で、ゴム１３を伸張させながら裏表紙部７から表表紙部５にそのゴム１３を架け渡して各凹部１４に係合させることで、ゴム１３が表表紙部５および裏表紙部７の他方面である外側面上に配置された状態で保持され、そのゴム１３の収縮力によって表紙体２が閉じた状態が維持される。
【００３３】
また、表表紙部５の上端部の左側部分には、ポケット体３を移動可能に保持するための合成樹脂製の保持部材２１が設けられている。
【００３４】
ポケット体３は、例えば合成樹脂等にて矩形シート状に形成されており、複数のポケット体３が厚さ方向に積層された状態で、背表紙部６を跨ぐように表表紙部５から裏表紙部７に亘って配置されている。
【００３５】
このようなポケット体３は、被収容物４を収容可能な袋状の収容部１５と、この収容部１５の上下方向の外側である上側に一体に設けられた左右方向に長尺状の固定部１６を有している。
【００３６】
収容部１５は、右端部の上下方向の全長に亘って開口部１７が設けられ、上下方向の両端部および左端部が閉塞された袋状である。
【００３７】
具体的には、ポケット体３は、例えば１枚の合成樹脂製の矩形状シートが半分に折り曲げられた状態にて、上下方向において折曲箇所（下端部）とは反対側である上端部同士を溶着し、左端部同士を溶着することにより、これら端部が閉塞され、閉塞されない右端部に開口部１７が配置された、平面視で矩形の袋状の収容部１５が構成される。
【００３８】
なお、ポケット体３は、収容部１５が複数の端部が閉塞された袋状に形成されていれば、開口部１７が右端部に設けられた構成に限定されず、開口部１７が、固定部１６に近接する収容部１５の上端部や左端部や下端部に設けられた構成にしてもよい。
【００３９】
また、この収容部１５の一辺である上端部の上側は、左右方向の全長に亘って、重合する２枚のシートが左右方向に長尺状を形成するようにそれらが溶着されて固定部１６が構成され、この固定部１６は、保持部材２１に対応するように位置する被保持部２２と、後述する溶着部１８とを有している。
【００４０】
そして、固定部１６を保持部材２１を有さない表紙部である裏表紙部７に対して間欠的に左右方向に並ぶように溶着することで、溶着部１８が表表紙部５に固定される。
【００４１】
ここで、図１６ないし図１９に示すように、被保持部２２には、左右方向に延びる長孔状の複数（例えば２つ）の挿通孔２３が同一線状に互いに離間して設けられている。
【００４２】
また、保持部材２１は、平面視にて、ポケット体３の上端部における左端部側の一部を覆うように配置されたケース部２４と、このケース部２４内に設けられ挿通孔２３に挿通された板状の挿通部２５とを有している。
【００４３】
ケース部２４は、表表紙部５の上端部からファイル１を閉じた場合に内側となる方向に略垂直に立設された第１の壁部２６と、第１の壁部２６の表表紙部５に接する端部（基端部）と対向する位置にある端部（先端部）からこの第１の壁部２６に対し略垂直（表表紙部５に対して略平行）に設けられた第２の壁部２７とを有し、断面視で略Ｌ字状に構成されている。
【００４４】
また、ケース部２４の内側には、第１の壁部２６および第２の壁部２７に沿って基部２８が設けられ、この基部２８の先端部から略垂直に表表紙部５へ向けて挿通部２５が設けられている。すなわち、挿通部２５は、基部２８および表表紙部５に対して略垂直に接続されている。
【００４５】
挿通部２５の幅寸法は、挿通孔２３の幅寸法より小さく、例えば約１／２の長さに形成されている。すなわち、挿通孔２３の一方向（左右方向）の長さは、挿通部２５の一方向（左右方向）の長さよりも長く、挿通孔２３の一方向とは直交方向である他方向（上下方向）の長さは、挿通部２５の他方向（上下方向）の長さよりやや長く、挿通部２５は挿通孔２３内で摺動可能である。なお、挿通孔２３内で挿通部２５が摺動可能であれば、挿通孔２３の上下方向の長さと挿通部２５の上下方向の長さが略同じでもよい。
【００４６】
そして、挿通部２５が挿通孔２３に挿通されているため、例えば図１８に示すように挿通孔２３内における左側に挿通部２５が配置された状態から、挿通孔２３が挿通部２５にガイドされるようにして、ポケット体３の左側部分が挿通部２５に沿って表表紙部５に対して摺動して図１９に示すように挿通孔２３内における右側に挿通部２５が配置されるとともに、ポケット体３の厚さ方向への変位がケース部２４により規制される。すなわち、ファイル１では、挿通部２５が挿通孔２３に挿通され、その周囲であるポケット体３の上端部の左側部分の一部がケース部２４に覆われていることにより、ポケット体３が表表紙部５に対して左右方向に移動可能に保持される。
【００４７】
次に、上記第１の実施の形態の作用および効果を説明する。
【００４８】
図１に示すように、ファイル１に被収容物４を収容して持ち運ぶ際には、まず、表表紙部５と背表紙部６と裏表紙部７とを略同一平面上に配置し表紙体２を開いた状態にして、この状態において、開口部１７から収容部１５内へ被収容物４を挿入して収容する。
【００４９】
その後、表紙体２が開いた状態から、表紙体２を表表紙部５の左端部と裏表紙部７の右端部とを接近させるように、背表紙部６を中心にヒンジ部１１を介して互いに回動させて、表表紙部５と裏表紙部７とを対向させて表紙体２を閉じた状態にする。
【００５０】
表紙体２を閉じると、ポケット体３は、固定部１６が裏表紙部７に固定されているため、表表紙部５と裏表紙部７との位置関係の変化に基づいて、表表紙部５に対応する固定されていない被保持部２２側（左端部側）には、左方向へ押し出されるような力が作用する。
【００５１】
また、このように左方向への力がポケット体３に作用すると、挿通孔２３と挿通部２５とのガイド作用によって、図１８に示す状態から図１９に示す状態となるように、各ポケット体３が挿通部２５に沿って表表紙部５に対して移動し、図９ないし図１５に示すように表紙体２が閉じた（折り畳まれた）状態となる。
【００５２】
また、表紙体２が閉じた状態で裏表紙部７から表表紙部５に亘ってゴム１３を架け渡すことで、ゴム１３の収縮力で表紙体２が閉じた状態を維持され、そのファイル１を例えば鞄等に収納して持ち運ぶ。
【００５３】
そして、上記ファイル１によれば、表表紙部５から裏表紙部７に亘ってポケット体３の収容部１５が配置されているため、被収容物４が収容された状態のポケット体３を、表紙体２とともに屈曲できる。そのため、被収容物４とそれを収容したポケット体３とが屈曲した状態で表表紙部５と裏表紙部７との間に収められ、平面視にて、被収容物４の通常状態の面積よりもファイル１自体をコンパクトにでき、大きさの観点に基づく利便性を向上できる。
【００５４】
また、上述のように表紙体２とともにポケット体３を屈曲することにより、ポケット体３内の被収容物４には、通常の収容状態での収容部１５との摩擦力よりも大きな摩擦力が作用するため、例えばファイル１の利用者が、閉じた状態のファイル１をポケット体３の開口部１７が下側に位置するように保持しても、収容部１５から被収容物４が抜け落ちにくい。すなわち、使用状態における開口部１７の位置や向きを考慮しなくても、開口部１７から被収容物４が不意に抜け落ちにくいため、使用状態の観点に基づく利便性を向上できる。
【００５５】
特に、表紙体２が左右方向に開閉可能で、かつ、ポケット体３における開口部１７が収容部１５の左右方向の端部に設けられた構成とすることにより、開口部１７を下方に向ける等して開口部１７から抜け落ちようとする力が被収容物４に作用しても、その力の方向とは略垂直にポケット体３および被収容物４が屈曲されるため、摩擦力がより大きくなり、被収容物４の不意な抜け落ちをより確実に防止できる。
【００５６】
また、表表紙部５と裏表紙部７との間に所定幅の背表紙部６が設けられ、背表紙部６のヒンジ部１１を介して、表表紙部５と裏表紙部７とが互いに回動可能である構成にすることにより、ファイル１を閉じた状態において、背表紙部６の幅に応じて表紙体２の内側に空間を確保できるため、表紙体２の屈曲により、表紙体２内のポケット体３に収容された被収容物４に折り目等が生じにくい。
【００５７】
ところで、例えば積層された複数のポケット体３がそれぞれ表表紙部５と裏表紙部７とに固定された構成であると、表紙体２を折り曲げてポケット体３を屈曲させた場合に、表紙体２に最も近い層である最下層のポケット体３と、表紙体２に最も遠い層である最上層のポケット体３とは、屈曲した形態に違いが生じる。すなわち、最下層のポケット体３は屈曲後においては最外周に位置し、最上層のポケット体３は最外周に位置する場合よりもその距離が短い最内周に位置することになり、つまり、それぞれのポケット体３の固定部１６の長さが伸縮しないのであれば、表紙体２に隣接する一のポケット体３と当該ポケット体３に隣接する他のポケット体３とは、屈曲前と屈曲後とで、固定部１６およびその近傍における位置関係が変化しなくてはならないのに、一のポケット体３が隣接する他のポケット体３に対して移動することができないように固定されていると、このような位置関係の変化が規制される。そのため、図２１に示す参考例ように、ファイル１を閉じた状態において、各ポケット体３における固定部１６とは反対側の下端部の位置が乱れて、その乱れによって、表紙体２が閉じた状態を維持しにくくなる可能性があるとともに、表紙体２からポケット体３の一部がはみ出してしまう可能性がある。
【００５８】
そこで、ファイル１では、表表紙部５に設けられた保持部材２１がポケット体３の被保持部２２を摺動可能に保持するため、表紙体２の開閉に伴って、挿通孔２３と挿通部２５とのガイド作用により各ポケット体３が挿通部２５に沿って左右方向に移動可能であるとともに、各ポケット体３の厚さ方向への変位をケース部２４で規制できる。その結果、ファイル１の開閉に伴う表紙体２に対する各ポケット体３の位置関係の変化を表表紙部５側で許容することができる。そのため、ファイル１を閉じた状態においても、各ポケット体３の下端部の位置が乱れにくく、表紙体２およびポケット体３を屈曲させてファイル１を閉じた状態を維持しやすい。
【００５９】
なお、上記第１の実施の形態では、表紙体２は、表表紙部５と裏表紙部７との間にヒンジ部１１を有する背表紙部６が設けられた構成としたが、このような構成には限定されず、例えば、背表紙部６が設けられておらず表表紙部５と裏表紙部７とが直接回動可能に接続された構成や、リング等で表表紙部５と裏表紙部７とが接続された構成等にしてもよい。
【００６０】
また、表紙体２は、表紙体２に維持部材としてのゴム１３が設けられるとともに表表紙部５および裏表紙部７に維持部材を係合可能な凹部１４が設けられた構成としたが、このような構成には限定されず、ゴム１３が設けられ凹部１４が設けられていない構成にしてもよいし、さらに、ゴム１３も凹部１４も設けられていない、すなわち維持部材が設けられていない構成にしてもよい。
【００６１】
また、維持部材が設けられた構成では、維持部材としてゴム１３が設けられた構成には限定されず、維持部材は、表紙体２を閉じた状態を維持できるものであればよい。
【００６２】
表紙体２およびポケット体３は、それぞれ矩形状である構成には限定されず、その形状は適宜設計可能である。
【００６３】
表紙体２とポケット体３とは、溶着によって固定された構成には限定されず、表紙体２に対するポケット体３の固定方法は、縫製や溶着等の方法が適宜適用できる。
【００６４】
保持部材２１と被保持部２２とは、挿通孔２３に板状の挿通部２５を挿通する構成には限定されず、表紙体２に対してポケット体３を摺動可能に保持できる構成であればよい。すなわち、例えば表表紙部５および裏表紙部７の少なくとも一方にレール状の保持部が設けられ、ポケット体３にレール状の保持部に摺動可能に係合する被保持部が設けられた構成や、ポケット体３の端部の一部をケース部２４で覆っただけの構成等にしてもよい。
【００６５】
ポケット体３は、１枚の合成樹脂製シートで形成された構成には限定されず、被収容物４を収容可能な収容部１５と、表紙体２に固定される固定部１６とを有する構成であれば、それらの配置や成形方法等は適宜変更できる。
【００６６】
開口部１７は、収容部１５の右端部においてこの右端部と略平行に設けられた構成には限定されず、収容部１５に被収容物４を出し入れ可能な構成であればよい。すなわち、例えば、収容部１５の上下方向の端部のいずれかにおいて、収容部１５の左右方向の端部と略垂直に開口部１７が設けられ、上下方向に被収容物４を出し入れする構成にしてもよい。
【００６７】
固定部１６および被保持部２２は、収容部１５に一体に設けられ、かつ、これら固定部１６および被保持部２２同士が一体である構成としたが、このような構成には限定されず、収容部１５と固定部１６および被保持部２２とが別体に設けられた構成や、固定部１６と被保持部２２とが別体に設けられた構成にしてもよい。
【００６８】
また、固定部１６および被保持部２２は、収容部１５の上側に配置された構成には限定されず、収容部１５の外側（上下方向の外側または左右方向の外側）に配置されていればよい。
【００６９】
表紙体２とポケット体３とは、裏表紙部７に固定部１６が固定され、表表紙部５に保持部材２１が設けられて、ポケット体３が表表紙部５に対して摺動可能に保持された構成には限定されず、ポケット体３の被保持部２２を移動可能に保持する保持部材２１が、表表紙部５および裏表紙部７のうちの少なくとも一方に設けられた構成であればよい。
【００７０】
すなわち、ポケット体３が表紙体２に対して移動可能に保持された構成であれば、例えば、図２０に示す第２の実施の形態に係るファイル３１のように、表表紙部５および裏表紙部７の両方に保持部材２１が設けられ、ポケット体３は、表表紙部５および裏表紙部７の両方に対応するように被保持部２２が設けられた構成等にしてもよい。そして、このファイル３１では、ポケット体３は、表紙体２に固定されず、表表紙部５および裏表紙部７の両方に対して移動可能に保持されている。
【符号の説明】
【００７１】
１    ファイル
２    表紙体
３    ポケット体
４    被収容物
５    第１の表紙部としての表表紙部
６    背表紙部
７    第２の表紙部としての裏表紙部
１１  ヒンジ部
１５  収容部
１６  固定部
１７  開口部
２１  保持部材
２２  被保持部
２３  挿通孔
２５  挿通部
３１  ファイル
【図１】
2018176607.tif 000003
【図２】
2018176607.tif 000004
【図３】
2018176607.tif 000005
【図４】
2018176607.tif 000006
【図５】
2018176607.tif 000007
【図６】
2018176607.tif 000008
【図７】
2018176607.tif 000009
【図８】
2018176607.tif 000010
【図９】
2018176607.tif 000011
【図１０】
2018176607.tif 000012
【図１１】
2018176607.tif 000013
【図１２】
2018176607.tif 000014
【図１３】
2018176607.tif 000015
【図１４】
2018176607.tif 000016
【図１５】
2018176607.tif 000017
【図１６】
2018176607.tif 000018
【図１７】
2018176607.tif 000019
【図１８】
2018176607.tif 000020
【図１９】
2018176607.tif 000021
【図２０】
2018176607.tif 000022
【図２１】
2018176607.tif 000023